(57)【要約】【課題】複数の番組を連続して再生する機能を備えた情報記録再生装置およびその情報記録再生装置におけるプレイリスト生成方法において、連続再生に用いられるリスト情報を簡易に生成できるようにする。【解決手段】ＤＶＤレコーダ１０は、記録媒体に録画データを記録する記録手段と、記録媒体に記録されている録画データを読み取る読取手段と、読取手段により読み取られた録画データを用いて映像を再生する映像再生手段とを備えている。ＤＶＤレコーダ１０は、定期録画が行われるときに、映像再生手段により再生される映像の一覧としての定期録画用のプレイリストを生成するプレイリスト生成手段と、定期録画の対象とされる定期録画番組の録画データに応じた番組データをプレイリストの管理データに登録する番組登録手段とを有している。【選択図】図１
2008059671.tif 000002
【特許請求の範囲】
【請求項１】
記録媒体に録画データを記録する記録手段と、前記記録媒体に記録されている録画データを読み取る読取手段と、該読取手段により読み取られた前記録画データを用いて映像を再生する映像再生手段とを備えた情報記録再生装置であって、
毎日録画、毎週録画といった同じ番組を定期的に録画する定期録画が行われるときに、前記映像再生手段により再生される映像の一覧としての前記定期録画用のプレイリストを生成するプレイリスト生成手段と、
前記定期録画の対象とされる定期録画番組の前記録画データに応じた番組データを前記プレイリストの管理データに登録する番組登録手段とを有することを特徴とする情報記録再生装置。
【請求項２】
前記プレイリスト生成手段により生成される前記プレイリストの管理データを記憶する管理データ記憶手段と、
該管理データ記憶手段に対する前記管理データの追加、削除、参照を行うことによって、前記プレイリストを管理するプレイリスト管理手段とを更に有することを特徴とする請求項１記載の情報記録再生装置。
【請求項３】
前記定期録画に対応する前記プレイリストの管理データが前記管理データ記憶手段に記憶されているときは、前記プレイリスト生成手段が前記プレイリストを生成しないように制御するプレイリスト生成制御手段を更に有することを特徴とする請求項２記載の情報記録再生装置。
【請求項４】
前記定期録画番組の再生が指定されたときに、前記映像再生手段が前記プレイリスト生成手段により生成された前記プレイリストに従い映像を再生するように制御する再生制御手段を更に有することを特徴とする請求項１〜３のいずれか一項記載の情報記録再生装置。
【請求項５】
前記再生制御手段は、前記プレイリストが選択されたときに該選択された前記プレイリストに従い映像を再生するように制御することを特徴とする請求項４記載の情報記録再生装置。
【請求項６】
前記プレイリスト生成手段によって前記プレイリストを生成するか否かのプレイリスト設定を行う設定手段を更に有することを特徴とする請求項１〜５のいずれか一項載の情報記録再生装置。
【請求項７】
前記プレイリスト設定が行われているか否かを判定するプレイリスト設定判定手段を更に有し、
前記プレイリスト生成制御手段は、前記プレイリスト設定判定手段により前記プレイリスト設定が行われていると判定されたときに、前記プレイリスト生成手段によって前記プレイリストが生成されるように制御することを特徴とする請求項３〜６のいずれか一項載の情報記録再生装置。
【請求項８】
前記プレイリストと該プレイリスト以外の通常プレイリストとを区別可能に表示させる表示制御手段を更に有することを特徴とする請求項１〜７のいずれか一項載の情報記録再生装置。
【請求項９】
前記プレイリストとともに該プレイリストに対応する前記録画データを削除するための指示入力があったときに、前記プレイリスト管理手段を作動させて前記プレイリストの管理データを削除し、かつ前記記録手段に記録されている前記録画データを削除するように制御する削除制御手段を更に有することを特徴とする請求項３〜８のいずれか一項載の情報記録再生装置。
【請求項１０】
記録媒体に録画データを記録する記録手段と、前記記録媒体に記録されている録画データを読み取る読取手段と、該読取手段により読み取られた前記録画データを用いて映像を再生する映像再生手段とを備えた情報記録再生装置におけるプレイリスト生成方法であって、
毎日録画、毎週録画といった同じ番組を定期的に録画する定期録画が行われるときに、前記映像再生手段により再生される映像の一覧としての前記定期録画用のプレイリストを生成し、
前記定期録画の対象とされる定期録画番組の前記録画データに応じた番組データを前記プレイリストの管理データに登録することを特徴とするプレイリスト生成方法。
【発明の詳細な説明】
【技術分野】
【０００１】
本発明は、複数の番組を連続して再生する機能を備えた情報記録再生装置およびその情報記録再生装置におけるプレイリスト生成方法に関する。
【背景技術】
【０００２】
従来、記録媒体に記録されているデジタルデータを読み取って映像および音声を再生可能な情報記録再生装置（映像および音声をデジタルデータとして記録可能な情報記録再生装置を含む）がある。この種の装置としては、例えばＤＶＤ（ｄｉｇｉｔａｌ  ｖｅｒｓａｔｉｌｅ  ｄｉｓｋ）等のリムーバブルメディアを用い、そのリムーバブルメディアに記録されているデジタルデータを読取って映像および音声を再生する再生機能を備えたＤＶＤプレーヤや、再生機能に加えてリムーバブルメディアに対するデジタルデータの記録機能を備えたＤＶＤレコーダが普及している。中でも、ＤＶＤレコーダは、ハードディスクドライブ（Ｈａｒｄ  Ｄｉｓｋ  Ｄｒｉｖｅ、以下「ＨＤＤ」という）を内蔵し、そのＨＤＤにデジタルデータを記録できるようになっていることがある。
【０００３】
ところで、ユーザは、従来の情報記録再生装置を用いて番組を録画する場合、毎日や毎週といった曜日指定で定期的に録画した複数の番組を連続して再生しようとすることがある（例えば、毎週同じ曜日に放送される連続ドラマを連続再生する場合）。この点に関して、従来、同じタイトルの番組をグループ化して表示し、そのいずれかを選択することによって、一連の番組が連続して再生されるようになっている情報記録再生装置があった（例えば特許文献１参照）。
【特許文献１】特開２００４−１３３９８４号公報
【発明の開示】
【発明が解決しようとする課題】
【０００４】
しかし、上記した従来の情報記録再生装置は、録画された各番組のデータからタイトル情報を抽出し、同じタイトルが有るか否かを判定しながら重複したタイトルを集めることによってグループ化したタイトルリスト（リスト情報）を生成している。つまり、従来の情報記録再生装置では、録画が行われるたびに番組のデータからタイトル情報が抽出され、各タイトル情報について同じタイトルが有るか否かが判定されてタイトルリストが生成されているため、タイトルリストの生成に負担を要していた。
【０００５】
そこで、本発明は上記課題を解決するためになされたもので、複数の番組を連続して再生する機能を備えた情報記録再生装置および情報記録再生装置におけるプレイリスト生成方法において、連続再生に用いられるリスト情報を簡易に生成できるようにすることを目的とする。
【課題を解決するための手段】
【０００６】
上記課題を解決するため、本発明は、記録媒体に録画データを記録する記録手段と、記録媒体に記録されている録画データを読み取る読取手段と、その読取手段により読み取られた録画データを用いて映像を再生する映像再生手段とを備えた情報記録再生装置であって、毎日録画、毎週録画といった同じ番組を定期的に録画する定期録画が行われるときに、映像再生手段により再生される映像の一覧としての定期録画用のプレイリストを生成するプレイリスト生成手段と、定期録画の対象とされる定期録画番組の録画データに応じた番組データをプレイリストの管理データに登録する番組登録手段とを有する情報記録再生装置を特徴とする。
【０００７】
また、本発明は、記録媒体に録画データを記録する記録手段と、記録媒体に記録されている録画データを読み取る読取手段と、その読取手段により読み取られた録画データを用いて映像を再生する映像再生手段とを備えた情報記録再生装置におけるプレイリスト生成方法であって、毎日録画、毎週録画といった同じ番組を定期的に録画する定期録画が行われるときに、映像再生手段により再生される映像の一覧としての定期録画用のプレイリストを生成し、定期録画の対象とされる定期録画番組の録画データに応じた番組データをプレイリストの管理データに登録するプレイリスト生成方法を提供する。
【発明の効果】
【０００８】
以上詳述したように、本発明によれば、複数の番組を連続して再生する機能を備えた情報記録再生装置および情報記録再生装置におけるプレイリスト生成方法において、連続再生に用いられるリスト情報を簡易に生成できるようになる。
【発明を実施するための最良の形態】
【０００９】
以下、本発明の実施の形態について説明する。なお、同一要素には同一符号を用い、重複する説明は省略する。
【００１０】
図１は、本発明の実施の形態に係る情報記録再生装置としてのＤＶＤレコーダ１０の内部の構成を示すブロック図である。図１に示すように、ＤＶＤレコーダ１０は記録媒体として、ＤＶＤ−ＲＡＭ、ＤＶＤ−Ｒ等の光ディスクＤ１が用いられ、光ディスクＤ１に記録されているデジタルデータを読み取って再生する再生機能と、光ディスクＤ１にデジタルデータを記録する記録機能とを有している。
【００１１】
ＤＶＤレコーダ１０は、ＨＤＤ１０１と、ディスクドライブ１０２、コントローラ１０３およびエンコーダ部１０４を有している。
【００１２】
ＨＤＤ１０１はハードディスクを有し、そのハードディスクに後述するプレイリストを含むデジタルデータを記録し、また、記録されているデジタルデータを読み取ることができる記録手段および読取手段としての機能を有している。
【００１３】
ディスクドライブ１０２は光ディスクＤ１を保持し所定回転数で回転させる駆動機構と、光ピックアップ等を備えたＰＵＨ(Ｐｉｃｋ  ｕｐ  ｈｅａｄ)およびプリアンプなどを有し、光ディスクＤ１からデジタルデータを読み取って再生信号を出力し、また、デジタルデータを光ディスクＤ１に記録する（ディスクドライブ１０２も記録手段および読取手段としての機能を有している）。コントローラ１０３は、ＨＤＤ１０１によるプレイリストを含むデジタルデータの書込みおよび読み取りを制御する。
【００１４】
また、ＤＶＤレコーダ１０は、エンコーダ部１０４と、デコーダ部１０５と、マイクロコンピュータブロック１０６と、ドライバ１０７と、通信部１０８およびデータプロセッサ１０９を有している。
【００１５】
エンコーダ部１０４は、マイクロコンピュータブロック１０６の制御に基いて、図示しないチューナから入力されるアナログ映像信号およびアナログ音声信号をデジタル映像信号およびデジタル音声信号に変換する。また、変換されたデジタル映像信号をＭＰＥＧ−２規格に基づいて圧縮し、圧縮されたデジタル映像信号に変換して、データプロセッサ１０９に出力する。デジタル音声信号についても、例えばＡＣ（Ａｕｄｉｏ  Ｃｏｍｐｒｅｓｓｉｏｎ）−３規格に基づいて圧縮し、圧縮したデジタル音声信号に変換してデータプロセッサ１０９に出力する。
【００１６】
デコーダ部１０５は、マイクロコンピュータブロック１０６の制御に基いて、光ディスクＤ１やＨＤＤ１０１から読み取ったデジタル映像信号およびデジタル音声信号をデータプロセッサ１０９を介して入力し、入力された信号から映像信号と音声信号とを分離してそれぞれをデコードし、アナログ映像信号およびアナログ音声信号に変換する。デコーダ部１０５とデータプロセッサ１０９とによって映像を再生する映像再生手段が構成されている。
【００１７】
マイクロコンピュータブロック１０６は、図示しないＭＰＵ（Ｍｉｃｒｏ  Ｐｒｏｃｅｓｓｉｎｇ  Ｕｎｉｔ）と、ＲＯＭおよびＲＡＭを有している。ＲＯＭには、制御プログラムやＭＰＵが実行するプログラムが書き込まれている。ＲＡＭは、ＭＰＵによるプログラムの実行に必要なワークエリアを提供し得るようになっている。
【００１８】
マイクロコンピュータブロック１０６は、ＲＯＭに記憶されている制御プログラムに従い上述の各モジュールを制御して、映像表示や音声出力などを統括する。また、マイクロコンピュータブロック１０６は、リモートコントローラ（リモコンともいう）１１１の操作情報を図示しない赤外線受光部を介して受信し、その受信した情報に従って動作を制御する。
【００１９】
さらに、マイクロコンピュータブロック１０６は、ＭＰＵがＲＯＭに記憶されているプログラムを実行することによって、プレイリスト管理部１０６ａおよびプレイリスト生成部１０６ｂとして作動するようになっている。プレイリスト管理部１０６ａは、ＨＤＤ１０１と光ディスクＤ１における録画データの記憶領域に関する後述するプレイリストを管理する機能を有している。プレイリスト生成部１０６ｂはプレイリストを生成する機能を有している。
【００２０】
そして、ＤＶＤレコーダ１０では、光ディスクＤ１がディスクドライブ１０２のディスクトレーに収納された際に、プレイリスト管理部１０６ａの制御に基づいて、光ディスクＤ１に対応したプレイリストが自動的にＤＶＤレコーダ１０に接続されている図示しないテレビの画面上に表示（以下、図示しないテレビの画面上に表示されることを「画面表示」ともいう）される。また、プレイリスト管理部１０６ａは、ドライバ１０７を介してメモリカードＤ２に対するプレイリストの書込みおよび読み取りを制御し、通信部１０８を介して外部機器とプレイリストの送受信も制御する。
【００２１】
プレイリスト管理部１０６ａは、後述するプレイリスト管理情報１５０を用いてプレイリストを管理している。すなわち、プレイリスト管理部１０６ａは、プレイリスト管理情報１５０への後述するプレイリスト管理データ１５１，１５５等の追加、削除、参照の各機能を有し、プレイリストの生成や後述する専用プレイリストのプレイリスト管理データ１５１，１５５等への番組データの追加の指示を出力する。この番組データ追加の指示を受けてマイクロコンピュータブロック１０６のＭＰＵが番組登録手段として作動し、プレイリスト管理情報１５０に番組データを登録する（詳しくは後述する）。
【００２２】
ドライバ１０７は、メモリカードＤ２に対するプレイリストを含む情報の書込みおよび読み取りを実行する。通信部１０８は、図示しない外部機器（例えば別のＤＶＤレコーダ）とデータ通信を行う。
【００２３】
次に、以上の構成を有するＤＶＤレコーダ１０におけるプレイリストの生成、番組再生、プレイリストまたは番組の削除に関する動作内容について説明する。
【００２４】
（定期録画用プレイリストの生成）
本実施の形態におけるＤＶＤレコーダ１０では、生成されるプレイリストとしてユーザの指定によって生成されるプレイリスト（通常プレイリスト）のほかに、毎日録画、毎週録画といった同じ番組を定期的に録画する定期録画が行われるときに生成される定期録画用のプレイリスト（専用プレイリストという）がある（定期録画の対象とされる番組を定期録画番組という）。通常プレイリストと専用プレイリストは、ともに映像再生手段としてのデコーダ部１０５，データプロセッサ１０９により再生される映像の一覧としてのプレイリストである。
【００２５】
そして、ＤＶＤレコーダ１０では、図２に示すように、専用プレイリスト生成を開始するための再生リスト生成メニュー５１を番組予約メニュー５２に設けている。なお、番組予約メニュー５２には、図２に示した毎週予約の再生リスト生成メニュー５１のほかに、毎日予約や日時予約のメニューもある。
【００２６】
そして、専用プレイリストの生成は、再生リスト生成メニュー５１でプレイリスト生成が指定された場合において番組の録画が行われたときに図５に示すフローチャートに沿って以下のようにして行われる。
【００２７】
まず、マイクロコンピュータブロック１０６のＭＰＵが処理開始後、ステップ１に処理を進め、番組録画終了後にプレイリスト管理部１０６ａとしての動作を行い、予約リスト情報（録画予約が行われたときに生成される情報）から、録画しようとする番組の番組予約情報を取得する。次に、ＭＰＵは処理をステップ２に進めるとプレイリスト設定判定手段としての動作を行い、後述する専用プレイリスト設定が行われているか否かを判定する。
【００２８】
ここで、ＤＶＤレコーダ１０では、リモコン１１１に初心者向けのキー（以後「簡単キー」という）が設けられているときはＭＰＵが専用プレイリスト生成のための設定手段としての動作を行うようになっている。ＭＰＵが設定手段としての動作を行うと、簡単キーの入力操作が行われた後の録画予約において、さらにＭＰＵは図８に示すフローチャートに沿って作動し、ステップ５１で定期録画判定手段としての動作を行い、その録画予約が曜日指定であって定期録画が行われるか否かを判定する。
【００２９】
ここで、定期録画が行われるときは処理をステップ５２に進めて専用プレイリストを生成するための設定（以下「専用プレイリスト設定」という）を標準設定として行うが、そうでなければ処理を終了する。また、簡単キーが使用されない通常の予約操作で録画予約が行われていたときは、専用プレイリスト設定はユーザ自らの操作によって行われる。
【００３０】
ここで、図５に戻ってＭＰＵはプレイリスト生成制御手段としての動作を行い、専用プレイリスト設定が行われていると判定したときは、ステップ３，４，５によって専用プレイリストが生成されるように処理をステップ３に進める。ステップ３ではプレイリスト管理情報１５０に基づいて、予約した番組についての専用プレイリストがあるか否か（対応するプレイリスト管理データが記憶されているか否か）を判定する。
【００３１】
ＭＰＵは予約した番組についての専用プレイリストがなければ処理をステップ４に進め、プレイリスト生成部１０６ｂを作動させ、後述するプレイリスト生成処理を行って専用プレイリストを生成するが、専用プレイリストがあるときはステップ６に処理を進め、ステップ６を実行した後、専用プレイリストを生成することなくプレイリスト生成処理を終了する。ステップ６では、ＭＰＵが番組登録手段としての動作を行い、対応する専用プレイリストのプレイリスト管理データに番組データを登録する。
【００３２】
また、ＭＰＵはステップ４に続いてステップ５に処理を進めると、生成した専用プレイリストをプレイリスト管理部１０６ａが管理できるように、生成した専用プレイリストに対応するプレイリスト管理データをプレイリスト管理情報１５０に新規に登録してプレイリスト生成手順処理を終了する。
【００３３】
ここで、生成される専用プレイリストには、プレイリスト名として番組名または録画日時を使用し、録画予約した番組に関する情報が格納されている。
【００３４】
また、ＭＰＵは録画した番組の専用プレイリストがあると判定したときは、すでに定期録画番組の１回目の録画が行われていて定期録画番組について２回目以降の録画が行われたことになるので、ステップ４，５を実行せずに専用プレイリスト生成処理を終了し、専用プレイリストを生成しないようにしている。
【００３５】
この場合、ステップ６において、番組録画が行われた時点で録画した番組の番組データが専用プレイリストのプレイリスト管理データ１５０に追加登録されることとなる。
【００３６】
ここで、プレイリスト管理情報１５０は、図２に示すように、管理データ記憶手段としてのＨＤＤ１０１に記憶され、プレイリスト管理部１０６ａによって管理されている。プレイリスト管理情報１５０は本実施の形態では、Ｌｉｎｋｅｄ  Ｌｉｓｔ構造を有している。
【００３７】
プレイリスト管理情報１５０は、図３に示すような構造を有している。プレイリスト管理情報１５０は、プレイリスト管理部１０６ａが管理リストヘッダ１６０を参照すると次に参照すべき管理リストを示すポインタ１６１が取得され、そのポインタ１６１に対応するサブポインタ１６１ａが取得されるようになっている。このサブポインタ１６１ａが後述するプレイリスト管理データ１５１を示している。また、プレイリスト管理部１０６ａが次の管理リストを示すポインタ１６１を参照するとＮＵＬＬポインタ１６２が取得され、そのポインタ１６２に対応するサブポインタ１６２ａが取得される。このサブポインタ１６２ａが後述するプレイリスト管理データ１５５を示している。
【００３８】
そして、図２では、専用プレイリストとして、“番組２”についての“プレイリスト１”を示すプレイリスト管理データ１５１と、“番組３”についての“プレイリスト２”を示すプレイリスト管理データ１５５とが登録されているプレイリスト管理情報１５０が示されている。
【００３９】
プレイリスト管理データ１５１には、すでに録画されている“番組２”の１回目（番組２−１）に対応する番組データ１５１ａと、２回目（番組２−２）に対応する番組データ１５２ａとが登録されている。
【００４０】
また、プレイリスト管理データ１５５には、すでに録画されている“番組３”の１回目（番組３−１）に対応する番組データ１５５ａが登録されている。
【００４１】
そして、プレイリスト管理データ１５０，１５５には、プレイリスト生成処理におけるステップ６が実行されることにより、番組データが登録されるようになっている。こうして、予め生成されていた専用プレイリストのプレイリスト管理データに番組データが登録(追加)されることとなる。
【００４２】
なお、図２には、予約リスト情報の一部が表示されている。これによると、番組２は毎日予約、番組３は毎週予約なので定期録画が行われる定期録画番組であるが、番組１は日時指定なので、定期録画番組ではなく、専用プレイリストは生成されていない。
【００４３】
次に、ステップ４のプレイリスト生成処理について説明する。ＭＰＵがプレイリスト生成部１０６ｂとして作動してステップ４のプレイリスト生成処理を実行することにより、専用プレイリストが生成される。プレイリスト生成処理は図６に示すフローチャートに沿って実行される。
【００４４】
ＭＰＵは、プレイリスト生成処理を開始すると、処理をステップ１１に進める。ステップ１１では、番組録画の開始時刻を基準とした時刻情報を取得し、続くステップ１２で録画した番組のタイトルの情報を取得する。
【００４５】
また、ＭＰＵは、処理をステップ１３に進め、予約した番組に対応した専用プレイリストを新規に生成し、先頭ブロックの開始時刻に時刻情報を記録する。これにより１回目に録画した番組データがプレイリストに登録される。ＭＰＵは、ステップ１３を実行すると、プレイリスト生成処理を終了する。
【００４６】
こうして生成される専用プレイリストは、通常プレイリストとともに、例えば図４に示すようにして、画面表示されるものである。
【００４７】
図４では、タイトル名「水曜連続ドラマ」の欄に専用記号３１ａが表示されている。この専用記号３１ａは、ＭＰＵが表示制御手段としての動作を行い表示させたもので、この専用記号３１ａが表示されることによって、専用プレイリストと通常プレイリストとを区別可能になっている。専用記号３１ａの表示されていないそのほかのプレイリストは通常プレイリストとなっている。なお、ライン３１ｂ、３１ｃに同じタイトル名が表示され、これらのタイトルは日時が異なっている。これらは、専用プレイリスト設定が行われておらず、通常プレイリストとして生成されたものである。
【００４８】
（番組の再生）
上記のようにして生成されたプレイリストを用いて映像を再生するとき、ＭＰＵが図７に示すフローチャートに沿って作動している。
【００４９】
ＭＰＵは、リモコン１１１に備えられたプレイリストボタンが操作されたときにプレイリスト再生処理を開始し、処理をステップ３１に進める。ステップ３１では、ＭＰＵがＤＶＤレコーダ１０の動作状況の情報を取得して続くステップ３２で、タイトル再生中かどうかを判定する。ここで、タイトルを再生中でないと判定されたときはステップ３９に処理を進め、タイトルリストモードのプレイリストメニュー３１を画面表示させ、続くステップ４０でタイトルが選択されるまで待機する。
【００５０】
ＭＰＵは、タイトルが選択されると処理をステップ３５に進め、選択されたタイトルについての図示しないタイトル別モードのプレイリストメニューを画面表示させる。
【００５１】
また、ＭＰＵは、プレイリストボタンが操作された時にタイトル再生中であったときは処理をステップ３３に進めてプレイリスト管理情報１５０を参照し、再生中のタイトルに対応したプレイリストが存在するかどうかを判定する。ここで、存在しないと判定されたときはプレイリスト作成ルーチン３４に処理を進めて通常プレイリスト生成処理を実行し、存在すると判定されたときはステップ３５に処理を進める。
【００５２】
ＭＰＵは、ステップ３５を実行後ステップ３６に処理を進め、タイトル別モードのプレイリストメニューの画面表示中に、タイトル別モードのプレイリストメニューに含まれるブロック選択ボタンが選択されたか否かを判定し、ブロック選択ボタンが選択されるとステップ４１に処理を進めるが、そうでないときはステップ３７に処理を進める。
【００５３】
ＭＰＵは、ステップ４１に処理を進めると、各ブロックの選択状態を判定し、選択済みでなければステップ４２に処理を進め、ブロック選択中表示をＯＮにし、選択されたブロックをＦＩＦＯ（Ｆｉｒｓｔ−Ｉｎ  Ｆｉｒｓｔ−Ｏｕｔ）型の再生リストに追加する。選択済みのときはステップ４３に処理を進め、ブロック選択中表示をＯＦＦにし、選択されたブロックを再生リストから削除する。ステップ４３を実行すると処理がステップ３６に戻る。
【００５４】
そして、ＭＰＵは、ステップ３７に処理を進めて、タイトル別モードのプレイリストメニューに含まれる再生メニューが選択されたときは処理をステップ４４に進め、再生リストにしたがって再生を開始する。この場合、再生リストに登録された順にブロックを読み出し、ブロックに記録されたシーンの開始時刻あるいはシーン範囲情報に従ってシーンの再生を開始させる。
【００５５】
また、専用プレイリストが選択されているときは、ＭＰＵがその専用プレイリストを再生リストに設定した上で再生制御手段としての動作を行い、デコーダ部１０５とデータプロセッサ１０９とにより、専用プレイリストにしたがって映像が再生されるように制御する。この場合、ＭＰＵはプレイリスト管理部１０６ａとして作動してプレイリスト管理情報１５０を参照し、選択された専用プレイリストに対応するプレイリスト管理データから登録されている番組データを取り出し、対応する録画データを用いて再生が行われるように制御する。
【００５６】
ＭＰＵは再生メニューが選択されないときはステップ３８に処理を進め、選択された処理を実行する。ステップ３８，４４が実行されるとプレイリスト再生処理が終了する。
【００５７】
定期録画番組をより簡単な操作で連続再生するため、図２に示すように、簡単キーが操作されたときに表示される簡単メニュー上に専用プレイリストを再生するための専用プレイリストメニュー５３を設けてもよい。
【００５８】
そして、この専用プレイリストメニュー５３に従い、ユーザが連続再生しようとする番組を選択したときに、ＭＰＵがプレイリスト管理部１０６ａとしての動作を行い、プレイリスト管理情報１５０に登録されているプレイリスト管理データを参照した上で、番組を再生するようにすることができる（ＭＰＵが直接プレイリストを参照するようにしてもよい）。こうすると、初心者ユーザでも複雑な設定や操作を行うことなく、簡単に番組の連続再生が行われ、番組を視聴することができる。
【００５９】
また、専用プレイリストを使用して番組を再生している最中にリモコン１１１の番組情報表示キーが操作されたときに、ＭＰＵがプレイリスト管理部１０６ａとして作動してプレイリスト管理情報１５０を参照して再生中の番組を見つけ出し、その番組の番組ファイルより番組情報を取得して現在再生している番組の情報（録画日時、タイトルなど）の画面表示を行うようにしてもよい。こうすることにより、ユーザはどこまで再生してみたのかを容易に判断できるようになる。
【００６０】
以上のように、ＤＶＤレコーダ１０は、定期録画が行われるときは初回に専用プレイリストを生成した後、２回目以降は録画した番組の番組データを専用プレイリストに登録するだけで新たに専用プレイリストを生成しないようになっている。そのため、連続再生に用いられるリスト情報としてのプレイリストを簡易に生成できるようになっている。
【００６１】
また、ＤＶＤレコーダ１０において、定期録画が行われる場合、上記のとおり、簡単キー経由で番組予約が行われたときは標準設定でプレイリストが生成され、録画した番組をその後に再生しようとしたときに、簡単キー経由でプレイリストを選択することもできる。そのため、ＤＶＤレコーダ１０は初心者のように操作に不慣れなユーザでも、定期録画で録画した番組を容易に連続再生させることができ、ユーザが再生された各番組を連続して視聴することができる。
【００６２】
さらに、中級者以上のユーザのように、ユーザが簡単キーを使用しない操作に慣れている場合は、通常の予約手順で曜日予約設定がされたときに、ユーザ指定で専用プレイリスト設定が行われる。しかも、簡単キーを使用せず直接プレイリストを参照することで録画した番組を連続再生できるようになっている。
【００６３】
そして、専用プレイリストは、専用プレイリスト設定が行われているときに生成され、専用プレイリスト設定が行われていないときは生成されないので、専用プレイリストを生成するか否かをユーザが自ら設定できるようになっている。
【００６４】
また、生成された専用プレイリストは通常プレイリストと区別可能に表示されるので、ユーザが見つけやすくなっている。
【００６５】
（プレイリストの削除）
次に、プレイリスト管理データおよびプレイリストを削除する場合の動作内容について説明する。プレイリスト管理情報１５０からのプレイリスト管理データの削除は、リモコン１１１の操作でプレイリストの削除が実行されたときに行われる。
【００６６】
このとき、ＭＰＵがプレイリスト管理部１０６ａとしての動作を行ってプレイリスト管理情報１５０をサーチし、リモコン１１１の操作に対応するプレイリスト管理データをプレイリスト管理情報１５０から削除することによって行われる。プレイリスト管理データが削除されることによって、ＨＤＤ１０１から対応するプレイリストが削除される。この場合、専用プレイリスト、通常プレイリストともに同じ操作で削除される。
【００６７】
そして、ＤＶＤレコーダ１０は通常プレイリストのプレイリスト管理データが削除されたときは、プレイリスト管理データおよび対応するプレイリストだけが削除されるが、専用プレイリストのプレイリスト管理データが削除されるときは、対応する専用プレイリストのほかに、対応する番組の録画データも一緒に削除する連動削除を行うようにしている。この場合、ＭＰＵが削除制御手段として作動している。
【００６８】
ＤＶＤレコーダ１０では、連動削除を行うか否かを選択させる連動削除選択メニューを設けており、その連動削除選択メニューから録画データを削除する旨の指示（削除指示）があったときは、ＭＰＵは、削除対象のプレイリストに対応する録画データを削除したのちプレイリスト管理データを削除するように制御する。
【００６９】
このような連動削除を行うようにすると、プレイリスト管理データの削除と対応する録画データの削除が連動して行われるので、初心者は見終わるなどして不要になった番組に関するプレイリスト、プレイリスト管理データおよび録画データを容易に削除できるようになる。
【００７０】
また、削除メニューの拡張として、見終わった番組を削除するメニューを設ける一方、このメニューから削除指示があったときは、ＭＰＵが再生位置情報より現在再生中の番組を検索し、専用プレイリストに登録されている現在再生中の番組よりも前の番組の録画データを削除するように制御してもよい。こうすることで、再生を終えた番組のみを容易に削除することができるようになる。
【００７１】
ＤＶＤレコーダ１０では、予約録画時にユーザがプレイリスト生成を指定する場合において番組によるメニューの使い分けができるように、再生リスト生成メニュー５１を拡張して、専用プレイリストを１週間単位や１クール単位で生成するためのメニューを追加することができる。
【００７２】
そして、指定された単位でプレイリスト生成部１０６ｂがプレイリストを生成することにより、朝の連続ドラマのような番組の場合は１週間単位で、ドラマやアニメなどは１クール単位で専用プレイリストを生成できるようになる。こうすると、ＤＶＤレコーダ１０は、ユーザの嗜好にあったプレイリストを生成できるようになる。
【図面の簡単な説明】
【００７３】
【図１】本発明の実施の形態に係る情報記録再生装置としてのＤＶＤレコーダの内部の構成を示すブロック図である。
【図２】予約メニューおよびプレイリスト管理情報の構成の一例を示す図である。
【図３】プレイリスト管理情報の内容を模式的に示した図である。
【図４】プレイリストメニューの一例を示す図である。
【図５】プレイリスト生成手順処理の動作手順を示すフローチャートである。
【図６】プレイリスト生成処理の動作手順を示すフローチャートである。
【図７】プレイリスト再生処理の動作手順を示すフローチャートである。
【図８】専用プレイリスト設定が行われるときの動作手順を示すフローチャートである。
【符号の説明】
【００７４】
１０…ＤＶＤレコーダ、１０１…ＨＤＤ
１０６…マイクロコンピュータブロック
１０６ａ…プレイリスト管理部，１０６ｂ…プレイリスト生成部
１５０…プレイリスト管理情報、１５１，１５５…プレイリスト管理データ
１５１ａ，１５２ａ，１５５ａ…番組データ
【図１】
2008059671.tif 000003
【図２】
2008059671.tif 000004
【図３】
2008059671.tif 000005
【図４】
2008059671.tif 000006
【図５】
2008059671.tif 000007
【図６】
2008059671.tif 000008
【図７】
2008059671.tif 000009
【図８】
2008059671.tif 000010